(57)【要約】【課題】レジスト補正を行う際におけるトナーの消費量が増加することを抑制することが可能な画像形成装置を提供する。【解決手段】画像形成装置は、画像をそれぞれ形成する複数の画像形成ユニットを装着可能な画像形成装置であって、複数の画像形成ユニットのそれぞれにより形成された各画像を担持する像担持体と、像担持体に複数の画像形成ユニットのそれぞれにより形成された各画像の位置調整用の調整画像を形成するように複数の画像形成ユニットを制御する制御部と、複数の画像形成ユニットの装着状況に応じて、調整画像の形成パターンを変更する変更部と、を備える。【選択図】図２
2022001891.tif 000002
【特許請求の範囲】
【請求項１】
画像をそれぞれ形成する複数の画像形成ユニットを装着可能な画像形成装置であって、
前記複数の画像形成ユニットのそれぞれにより形成された各画像を担持する像担持体と、
前記像担持体に前記複数の画像形成ユニットのそれぞれにより形成された各画像の位置調整用の調整画像を形成するように前記複数の画像形成ユニットを制御する制御部と、
前記複数の画像形成ユニットの装着状況に応じて、前記調整画像の形成パターンを変更する変更部と、
を備える画像形成装置。
【請求項２】
前記変更部は、前記画像形成装置に装着された画像形成ユニットを識別し、識別された色に応じて前記調整画像の形成パターンを変更する、
請求項１に記載の画像形成装置。
【請求項３】
前記変更部は、識別した画像形成ユニットの使用頻度に応じて前記調整画像の形成パターンを変更する、
請求項２に記載の画像形成装置。
【請求項４】
前記変更部は、
前記調整画像の形成パターンにおける基準となる基準画像形成ユニットを決定し、
前記基準画像形成ユニットと、それ以外の画像形成ユニットとを組み合わせた調整画像を前記形成パターンとする、
請求項１〜３の何れか１項に記載の画像形成装置。
【請求項５】
前記複数の画像形成ユニットと、前記像担持体とを圧着、離間を切り替え可能な圧着機構を備え、
前記変更部は、前記圧着機構における圧着状態に応じて前記調整画像の形成パターンを変更する、
請求項１〜４の何れか１項に記載の画像形成装置。
【請求項６】
前記調整画像において調整したずれ量に基づいて画像の位置を補正する補正部を備え、
前記補正部は、前記圧着機構における圧着状態に基づいて前記ずれ量に係る補正量を変更する、
請求項５に記載の画像形成装置。
【請求項７】
前記調整画像において調整したずれ量に基づいて画像の位置を補正する補正部を備え、
前記補正部は、前記画像形成ユニットに係る温度情報に応じて前記ずれ量に係る補正量を変更する、
請求項１〜６の何れか１項に記載の画像形成装置。
【請求項８】
前記ずれ量に係る補正量を記憶する記憶部を備える、
請求項６または請求項７に記載の画像形成装置。
【請求項９】
前記記憶部は、過去に調整した、少なくとも２回分の補正量を記憶し、
前記補正部は、前記２回分の補正量を用いて、前記画像の位置を補正する、
請求項８に記載の画像形成装置。
【請求項１０】
前記記憶部は、前記ずれ量に係る補正量の初期値を有する、
請求項８または請求項９に記載の画像形成装置。
【請求項１１】
前記記憶部は、前記画像形成装置の印刷終了後、前記複数の画像形成ユニットにおける前記ずれ量に係る前記補正量を記憶する、
請求項８〜１０の何れか１項に記載の画像形成装置。
【請求項１２】
前記記憶部は、前記画像形成装置における印刷終了時における印刷条件および環境条件の少なくとも１つが、当該印刷の１つ前の前回印刷終了時と変化がない場合、前記印刷終了時の前記ずれ量を記憶しない、
請求項１１に記載の画像形成装置。
【請求項１３】
前記変更部は、前記複数の画像形成ユニットのうち、ユーザーが選択した画像形成ユニットに係る前記調整画像のみになるように前記形成パターンを変更する、
請求項１〜１２の何れか１項に記載の画像形成装置。
【請求項１４】
前記複数の画像形成ユニットは、モノクロ画像およびカラー画像に対応する色とは異なる特色に係る画像形成ユニットを１つ以上有する、
請求項１〜１３の何れか１項に記載の画像形成装置。 
【発明の詳細な説明】
【技術分野】
【０００１】
本発明は、画像形成装置に関する。
【背景技術】
【０００２】
従来、複数の画像形成ユニットのそれぞれにより形成される画像の位置ずれを調整するための調整画像を形成して、当該位置ずれを補正するレジスト補正を行う画像形成装置が知られている。例えば、特許文献１には、黒色（Ｋ）の画像形成ユニットと、他の３色（Ｙ、Ｍ、Ｃ）の画像形成ユニットのうちの１つとの組み合わせに係る調整画像による第１調整モードと、全色の画像形成ユニットの組み合わせに係る調整画像による第２調整モードとを切り替えてレジスト補正を行う構成が開示されている。
【先行技術文献】
【特許文献】
【０００３】
【特許文献１】特開２００６−２０１３３９号公報
【発明の概要】
【発明が解決しようとする課題】
【０００４】
しかしながら、複数の画像形成ユニットを有する構成においては、予め定められた条件に基づいて複数の調整画像を形成するので、画像形成ユニットの使用状況や装着状況によっては調整する必要のない色の画像形成ユニットにおいても、調整画像を形成することになる。そのため、レジスト補整を行う際におけるトナーの消費量が増加してしまう問題が生じる。また、通常の有色トナー（例えば、Ｙ、Ｍ、Ｃ、Ｋ）以外の特色トナーを有する画像形成ユニットが含まれる場合、調整画像の数がさらに増加するため、上記問題がさらに顕著になる。
【０００５】
特許文献１に記載の構成は、画像形成ユニットの使用状況や装着状況を考慮していないため、レジスト補正を行う際におけるトナーの消費量を抑制する構成として一定の限界があった。
【０００６】
本発明の目的は、レジスト補正を行う際におけるトナーの消費量が増加することを抑制することが可能な画像形成装置を提供することである。
【課題を解決するための手段】
【０００７】
本発明に係る画像形成装置は、
画像をそれぞれ形成する複数の画像形成ユニットを装着可能な画像形成装置であって、
前記複数の画像形成ユニットのそれぞれにより形成された各画像を担持する像担持体と、
前記像担持体に前記複数の画像形成ユニットのそれぞれにより形成された各画像の位置調整用の調整画像を形成するように前記複数の画像形成ユニットを制御する制御部と、
前記複数の画像形成ユニットの装着状況に応じて、前記調整画像の形成パターンを変更する変更部と、
を備える。
【発明の効果】
【０００８】
本発明によれば、レジスト補正を行う際におけるトナーの消費量が増加することを抑制することができる。
【図面の簡単な説明】
【０００９】
【図１】本発明の第１の実施の形態に係る画像形成装置の全体構成を概略的に示す図である。
【図２】本実施の形態に係る画像形成装置の制御系の主要部を示す図である。
【図３】本発明の第２の実施の形態に係る画像形成装置の画像形成部を示す図である。
【図４】圧着状態と補正量とを対応付けたテーブルの一例を示す図である。
【図５】温度と補正量とを対応付けたテーブルの一例と示す図である。
【発明を実施するための形態】
【００１０】
以下、本発明の第１の実施の形態を図面に基づいて詳細に説明する。図１は、本発明の第１の実施の形態に係る画像形成装置１の全体構成を概略的に示す図である。図２は、本実施の形態に係る画像形成装置１の制御系の主要部を示す図である。
【００１１】
図１および図２に示す画像形成装置１は、電子写真プロセス技術を利用した中間転写方式のカラー画像形成装置である。すなわち、画像形成装置１は、感光体ドラム４１３上に形成されたＹ（イエロー）、Ｍ（マゼンタ）、Ｃ（シアン）、Ｋ（ブラック）の各色トナー像を中間転写ベルト４２１に一次転写し、中間転写ベルト４２１上で４色のトナー像を重ね合わせた後、用紙Ｓに二次転写することにより、画像を形成する。
【００１２】
また、画像形成装置１には、ＹＭＣＫの４色に対応する感光体ドラム４１３を中間転写ベルト４２１の走行方向に直列配置し、中間転写ベルト４２１に一回の手順で各色トナー像を順次転写させるタンデム方式が採用されている。
【００１３】
図２に示すように、画像形成装置１は、画像読取部１０、操作表示部２０，画像処理部３０、画像形成部４０、用紙搬送部５０、定着部６０、制御部１０１および画像検出部２００を備える。
【００１４】
制御部１０１は、ＣＰＵ（Central Processing Unit）１０２、ＲＯＭ（Read Only Memory）１０３、ＲＡＭ（Random Access Memory）１０４等を備える。ＣＰＵ１０２は、ＲＯＭ１０３から処理内容に応じたプログラムを読み出してＲＡＭ１０４に展開し、展開したプログラムと協働して画像形成装置１の各ブロックの動作を集中制御する。このとき、記憶部７２に格納されている各種データが参照される。記憶部７２は、例えば不揮発性の半導体メモリ（いわゆるフラッシュメモリ）やハードディスクドライブで構成される。
【００１５】
制御部１０１は、通信部７１を介して、ＬＡＮ（Local Area Network）、ＷＡＮ（Wide Area Network）等の通信ネットワークに接続された外部の装置（例えばパーソナルコンピューター）との間で各種データの送受信を行う。制御部１０１は、例えば、外部の装置から送信された画像データを受信し、この画像データ（入力画像データ）に基づいて用紙Ｓに画像を形成させる。通信部７１は、例えばＬＡＮカード等の通信制御カードで構成される。
【００１６】
図１に示すように、画像読取部１０は、ＡＤＦ（Auto Document Feeder）と称される自動原稿給紙装置１１および原稿画像走査装置１２（スキャナー）等を備えて構成される。
【００１７】
自動原稿給紙装置１１は、原稿トレイに載置された原稿Ｄを搬送機構により搬送して原稿画像走査装置１２へ送り出す。自動原稿給紙装置１１により、原稿トレイに載置された多数枚の原稿Ｄの画像（両面を含む）を連続して一挙に読み取ることが可能となる。
【００１８】
原稿画像走査装置１２は、自動原稿給紙装置１１からコンタクトガラス上に搬送された原稿またはコンタクトガラス上に載置された原稿を光学的に走査し、原稿からの反射光をＣＣＤ（Charge Coupled Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００１９】
図２に示すように、操作表示部２０は、例えばタッチパネル付の液晶ディスプレイ（ＬＣＤ：Liquid Crystal Display）で構成され、表示部２１および操作部２２として機能する。表示部２１は、制御部１０１から入力される表示制御信号に従って、各種操作画面、画像の状態、各機能の動作状況等の表示を行う。操作部２２は、テンキー、スタートキー等の各種操作キーを備え、ユーザーによる各種入力操作を受け付けて、操作信号を制御部１０１に出力する。
【００２０】
画像処理部３０は、入力画像データに対して、初期設定またはユーザー設定に応じたデジタル画像処理を行う回路等を備える。例えば、画像処理部３０は、制御部１０１の制御下で、階調補正データ（階調補正テーブル）に基づいて階調補正を行う。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２１】
図１に示すように、画像形成部４０は、入力画像データに基づいて、Ｙ成分、Ｍ成分、Ｃ成分、Ｋ成分の各有色トナーによる画像を形成するための画像形成ユニット４１Ｙ、４１Ｍ、４１Ｃ、４１Ｋ、中間転写ユニット４２等を備える。
【００２２】
Ｙ成分、Ｍ成分、Ｃ成分、Ｋ成分用の画像形成ユニット４１Ｙ、４１Ｍ、４１Ｃ、４１Ｋは、同様の構成を有する。図示および説明の便宜上、共通する構成要素は同一の符号で示し、それぞれを区別する場合には符号にＹ、Ｍ、ＣまたはＫを添えて示すこととする。図１では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００２３】
画像形成ユニット４１は、露光装置４１１、現像装置４１２、感光体ドラム４１３、帯電装置４１４およびドラムクリーニング装置４１５等を備える。
【００２４】
感光体ドラム４１３は、例えばドラム状の金属基体の外周面に、有機光導電体を含有させた樹脂よりなる感光層が形成された有機感光体よりなる。
【００２５】
制御部１０１は、感光体ドラム４１３を回転させる駆動モーター（図示略）に供給される駆動電流を制御することにより、感光体ドラム４１３を一定の周速度で回転させる。
【００２６】
帯電装置４１４は、例えば帯電チャージャーであり、コロナ放電を発生させることにより、光導電性を有する感光体ドラム４１３の表面を一様に負極性に帯電させる。
【００２７】
露光装置４１１は、例えば半導体レーザーで構成され、感光体ドラム４１３に対して各色成分の画像に対応するレーザー光を照射する。その結果、感光体ドラム４１３の表面のうちレーザー光が照射された画像領域には、背景領域との電位差により各色成分の静電潜像が形成される。
【００２８】
現像装置４１２は、二成分逆転方式の現像装置であり、感光体ドラム４１３の表面に各色成分の現像剤を付着させることにより静電潜像を可視化してトナー像を形成する。
【００２９】
現像装置４１２には、例えば帯電装置４１４の帯電極性と同極性の直流現像バイアス、または交流電圧に帯電装置４１４の帯電極性と同極性の直流電圧が重畳された現像バイアスが印加される。その結果、露光装置４１１によって形成された静電潜像にトナーを付着させる反転現像が行われる。
【００３０】
ドラムクリーニング装置４１５は、感光体ドラム４１３の表面に当接され、弾性体よりなる平板状のドラムクリーニングブレード４１５Ａ等を有し、中間転写ベルト４２１に転写されずに感光体ドラム４１３の表面に残留するトナーを除去する。
【００３１】
また、本実施の形態では、白色トナー等の特色トナー用の画像形成ユニット４１Ｔが設けられている。つまり、複数の画像形成ユニット４１は、モノクロ画像およびカラー画像に対応する色（Ｙ、Ｍ、Ｃ、Ｋ）とは異なる特色に係る画像形成ユニット４１Ｔを含む。画像形成ユニット４１Ｔは、その他の画像形成ユニット４１と同様の構成となっている。また、本実施の形態における複数の画像形成ユニット４１は、画像形成装置１に着脱可能となっている。
【００３２】
中間転写ユニット４２は、中間転写ベルト４２１、一次転写ローラー４２２、複数の支持ローラー４２３、二次転写ローラー４２４およびベルトクリーニング装置４２６等を備える。中間転写ベルト４２１は、本発明の「像担持体」に対応する。
【００３３】
中間転写ユニット４２は、無端状ベルトで構成され、複数の支持ローラー４２３にループ状に張架される。複数の支持ローラー４２３のうちの少なくとも一つは駆動ローラーで構成され、その他は従動ローラーで構成される。例えば、Ｋ成分用の一次転写ローラー４２２よりもベルト走行方向の下流側に配置されるローラー４２３Ａが駆動ローラーであることが好ましい。これにより、一次転写ニップにおけるベルトの走行速度を一定に保持しやすくなる。駆動ローラー４２３Ａが回転することにより、中間転写ベルト４２１は矢印Ａ方向に一定速度で走行する。
【００３４】
一次転写ローラー４２２は、各色成分の感光体ドラム４１３に対向して、中間転写ベルト４２１の内周面側に配置される。中間転写ベルト４２１を挟んで、一次転写ローラー４２２が感光体ドラム４１３に圧接されることにより、感光体ドラム４１３から中間転写ベルト４２１へトナー像を転写するための一次転写ニップが形成される。
【００３５】
二次転写ローラー４２４は、駆動ローラー４２３Ａのベルト走行方向下流側に配置されるバックアップローラー４２３Ｂに対向して、中間転写ベルト４２１の外周面側に配置される。中間転写ベルト４２１を挟んで、二次転写ローラー４２４がバックアップローラー４２３Ｂに圧接されることにより、中間転写ベルト４２１から用紙Ｓへトナー像を転写するための二次転写ニップが形成される。
【００３６】
一次転写ニップを中間転写ベルト４２１が通過する際、感光体ドラム４１３上のトナー像が中間転写ベルト４２１に順次重ねて一次転写される。具体的には、一次転写ローラー４２２に一次転写バイアスを印加し、中間転写ベルト４２１の裏面側、つまり、一次転写ローラー４２２と当接する側にトナーと逆極性の電荷を付与することにより、トナー像は中間転写ベルト４２１に静電的に転写される。
【００３７】
その後、用紙Ｓが二次転写ニップを通過する際、中間転写ベルト４２１上のトナー像が用紙Ｓに二次転写される。具体的には、バックアップローラー４２３Ｂに二次転写バイアスを印加し、用紙Ｓの表面側、つまり、中間転写ベルト４２１と当接する側にトナーと同極性の電荷を付与することにより、トナー像は用紙Ｓに静電的に転写され、当該用紙Ｓは定着部６０に向けて搬送される。
【００３８】
ベルトクリーニング装置４２６は、二次転写後に中間転写ベルト４２１の表面に残留する転写残トナーを除去する。なお、二次転写ローラー４２４に代えて、二次転写ローラーを含む複数の支持ローラーに、二次転写ベルトがループ状に張架された構成いわゆるベルト方式の二次転写ユニットを採用しても良い。
【００３９】
定着部６０は、用紙Ｓの定着面、つまりトナー像が形成されている面側に配置される定着面側部材を有する上側定着部６０Ａ、用紙Ｓの裏面つまり定着面の反対の面側に配置される裏面側支持部材を有する下側定着部６０Ｂ、および加熱源６０Ｃ等を備える。定着面側部材に裏面側支持部材が圧接されることにより、用紙Ｓを挟持して搬送する定着ニップが形成される。
【００４０】
定着部６０は、トナー像が二次転写され、搬送されてきた用紙Ｓを定着ニップで加熱、加圧することにより、用紙Ｓにトナー像を定着させる。定着部６０は、定着器Ｆ内にユニットとして配置される。また、定着器Ｆには、エアを吹き付けることにより、定着面側部材または裏面側支持部材から用紙Ｓを分離させるエア分離ユニットが配置されていても良い。
【００４１】
用紙搬送部５０は、給紙部５１、排紙部５２および搬送経路部５３等を備える。給紙部５１を構成する３つの給紙トレイユニット５１ａ〜５１ｃには、坪量やサイズ等に基づいて識別された用紙Ｓ（規格用紙、特殊用紙）が予め設定された種類毎に収容される。搬送経路部５３は、レジストローラー体５３ａ等の複数の搬送ローラーを有する。
【００４２】
給紙トレイユニット５１ａ〜５１ｃに収容されている用紙Ｓは、最上部から一枚ずつ送出され、搬送経路部５３により画像形成部４０に搬送される。このとき、レジストローラー対５３ａが配設されたレジストローラー部により、給紙された用紙Ｓの傾きが補正されるとともに搬送タイミングが調整される。そして、画像形成部４０において、中間転写ベルト４２１のトナー像が用紙Ｓの一方の面に一括して二次転写され、定着部６０において定着工程が施される。
【００４３】
また、画像検出部２００は、複数の画像形成ユニット４１により形成される画像の位置ずれを調整するための調整画像を検出可能な公知のセンサーである。画像検出部２００は、例えば、中間転写ベルト４２１おける、搬送方向の最下流側に位置する画像形成ユニット４１よりも下流側の位置で、中間転写ベルト４２１と対向して配置されている。
【００４４】
制御部１０１は、複数の画像形成ユニット４１により形成される画像の位置ずれを調整するための調整画像を形成するように画像形成部４０を制御する。そして、制御部１０１は、各画像形成ユニット４１により形成された各調整画像における画像検出部２００の検出結果に基づいて、各調整画像の位置ずれを補正するレジスト補整を行う。
【００４５】
制御部１０１は、画像形成装置１に装着された画像形成ユニット４１のうち、調整画像の形成パターンにおける基準となる基準画像形成ユニットを決定する。そして、制御部１０１は、基準画像形成ユニットと、それ以外の画像形成ユニットとの２つの画像形成ユニットにより形成された２つの調整画像を形成して、当該２つの画像形成ユニットにおける各調整画像の位置の情報を画像検出部２００から取得する。
【００４６】
制御部１０１は、画像検出部２００から取得した各調整画像の位置の情報に基づいて、上記２つの画像形成ユニットにおける画像の位置のずれを補正する。
【００４７】
また、制御部１０１は、複数の画像形成ユニット４１の装着状況に応じて調整画像の形成パターンを変更する。制御部１０１は、本発明の「変更部」に対応する。
【００４８】
例えば、特色トナーに係る画像形成ユニット４１は、ユーザーの用途によっては用いられない場合があり、その場合、画像形成装置１に装着されないこともある。
【００４９】
そのため、このような場合、調整画像の形成パターンに、例えば、基準画像形成ユニット（例えば、Ｋ色の画像形成ユニット）に係る調整画像と、特色の画像形成ユニットに係る調整画像との組み合わせが含まれていると、調整画像を形成する制御に無駄が生じる。
【００５０】
そこで、制御部１０１は、画像形成装置１に装着された画像形成ユニット４１を識別し、識別した画像形成ユニット４１に応じて調整画像の形成パターンを変更する。つまり、制御部１０１は、識別しない画像形成ユニット４１による調整画像に係る組み合わせを形成パターンから除外するように形成パターンを変更することで、基準画像形成ユニットに係る調整画像を無駄に形成することがなくなる。その結果、トナーの消費量が増大することを抑制することができる。
【００５１】
また、画像形成装置１への装着を認識しない画像形成ユニット４１による調整画像に係る組み合わせを形成パターンから除外するので、制御に無駄が生じることを抑制することができ、レジスト補正に係る制御を時短化することができる。
【００５２】
また、制御部１０１は、複数の画像形成ユニット４１の使用頻度に応じて調整画像の形成パターンを変更する。制御部１０１は、例えば複数の画像形成ユニット４１のうち、使用頻度が所定頻度以上である画像形成ユニットのみの調整画像の組み合わせを、調整画像の形成パターンとする。
【００５３】
所定頻度は、色ずれの目標精度、ユーザーの好み等に応じて適宜設定可能な任意の頻度である。また、所定頻度は、レジスト補正を行うタイミングによって任意に変更されても良い。
【００５４】
例えば、使用頻度が所定頻度以上である画像形成ユニット４１が、Ｙ、Ｍ、Ｋの３色だったとする。制御部１０１は、Ｙ、Ｍ、Ｋの３色のうち、例えば、使用頻度が最大である画像形成ユニットを基準画像形成ユニット（例えば、Ｋ色）とする。
【００５５】
そして、制御部１０１は、Ｋ色の基準画像形成ユニットと、Ｍ色の画像形成ユニットとの調整画像の組み合わせと、Ｋ色の基準画像形成ユニットと、Ｙ色の画像形成ユニットとの調整画像の組み合わせとの、２パターンを調整画像の形成パターンとする。
【００５６】
このようにすることで、基準画像形成ユニットと、それ以外の全ての画像形成ユニットとの調整画像の組み合わせを調整画像の形成パターンとする構成と比較して、形成する調整画像の数を削減することができる。
【００５７】
その結果、画像形成ユニット４１におけるトナー消費量を削減することができる。また、レジスト補正を行う際のダウンタイムの発生頻度を削減することができる。また、レジスト補正時のサンプリングデータの増大に起因する記憶データ量の増加を抑制することができる。
【００５８】
なお、制御部１０１は、画像形成ユニットの配置位置に応じて基準画像形成ユニットを決定しても良い。例えば、制御部１０１は、他の画像形成ユニットとの距離が短くなるものを基準画像形成ユニットとしても良い。例えば、上記のＹ、Ｍ、Ｋ色の画像形成ユニットの場合、Ｙ色の画像形成ユニット４１とＫ色の画像形成ユニット４１との間に位置するＭ色の画像形成ユニットを基準画像形成ユニットとしても良い。
【００５９】
また、使用頻度が低い画像形成ユニットについては、画像形成装置１の設置時や、ユーザーによる任意のタイミングで、調整画像を形成するようにしても良い。
【００６０】
また、制御部１０１は、複数の画像形成ユニット４１の装着状況および使用頻度の両方に基づいて、調整画像の形成パターンを変更するようにしても良い。
【００６１】
以上のように構成された本実施の形態によれば、画像形成装置１における複数の画像形成ユニット４１の装着状況に応じて調整画像の形成パターンを変更するので、画像形成装置１に装着されていない画像形成ユニット４１に係る調整画像を形成することを抑制することができる。その結果、基準画像形成ユニット等に係る調整画像が無駄に形成されないので、調整画像を形成する量を全体的に削減することができ、ひいてはトナー消費量を削減することができる。
【００６２】
また、複数の画像形成ユニット４１の使用頻度に応じて調整画像の形成パターンを変更するので、使用頻度が少ないことにより、画像の位置ずれの調整をする必要性が比較的低い画像形成ユニットの調整画像を形成パターンから除外することができる。その結果、調整画像を形成する量を全体的に削減することができるので、トナー消費量を削減することができる。
【００６３】
また、調整画像を形成する量を全体的に削減できるので、画像の位置ずれ量（補正量）を記憶部に記憶する際の記憶量を全体的に削減することができ、ひいては記憶部の増大を抑制することができる。
【００６４】
また、調整画像を形成する量を全体的に削減できるので、画像形成ユニットにおける画像形成頻度を削減することができる。その結果、画像形成ユニットにおける劣化度合いを低減することができ、ひいては画像形成ユニットのライフを向上することができる。
【００６５】
また、必要な色に係る画像形成ユニットのみ調整画像を形成するため、レジスト補正に伴う画像形成装置１のダウンタイムを全体的に削減することができる。その結果、画像形成装置１の生産性低下を抑制しつつ、画像の位置精度を向上させることができる。
【００６６】
次に、本発明の第２の実施の形態について説明する。図３は、本発明の第２の実施の形態に係る画像形成装置１の画像形成部４０を示す図である。
【００６７】
図３に示すように、第２の実施の形態に係る画像形成装置１は、圧着機構２１０を有する。なお、第２の実施の形態に係る画像形成装置１における、その他の構成は、第１の実施の形態に係る画像形成装置１と同様である。
【００６８】
圧着機構２１０は、画像形成ユニット４１と、中間転写ベルト４２１とを圧着、離間を切替可能な機構であり、複数の圧着部２１１を有する。圧着部２１１は、中間転写ベルト４２１の内側における一次転写ローラー４２２を感光体ドラム４１３に向けて圧着させるものであり、公知の構成を有する。
【００６９】
複数の圧着部２１１は、Ｙ、Ｍ、Ｃ色に対応する第１圧着部２１１Ａと、Ｋ色に対応する第２圧着部２１１Ｂと、Ｔ色に対応する第３圧着部２１１Ｃとを有する。
【００７０】
第１圧着部２１１Ａは、Ｙ、Ｍ、Ｃ色に対応する感光体ドラム４１３と中間転写ベルト４２１とを同時に圧着させる。第２圧着部２１１Ｂは、Ｋ色に対応する感光体ドラム４１３と中間転写ベルトを圧着させる。第３圧着部２１１Ｃは、Ｔ色に対応する感光体ドラム４１３と中間転写ベルト４２１とを圧着させる。
【００７１】
なお、第１の実施の形態では、全ての感光体ドラム４１３と中間転写ベルト４２１とを同時に圧着させる圧着機構が設けられている。
【００７２】
制御部１０１は、複数の画像形成ユニット４１の装着状況に応じて、調整画像の形成パターンを変更する。具体的には、制御部１０１は、圧着機構２１０における圧着状態に応じて、調整画像の形成パターンを変更する。
【００７３】
画像形成装置１においては、モノクロ画像を印刷する場合と、カラー画像を印刷する場合と、特色トナーを用いた画像を印刷する場合とで、圧着機構２１０における圧着状態が異なる。
【００７４】
例えば、モノクロ画像を印刷する場合、第２圧着部２１１Ｂのみが圧着状態となり、カラー画像を印刷する場合、第１圧着部２１１Ａおよび第２圧着部２１１Ｂが圧着状態となる。また、特色トナーを用いた画像を印刷する場合、モノクロ画像だと、第２圧着部２１１Ｂおよび第３圧着部２１１Ｃが圧着状態となり、カラー画像だと、第１圧着部２１１Ａ、第２圧着部２１１Ｂおよび第３圧着部２１１Ｃが圧着状態となる。
【００７５】
このように圧着されてない画像形成ユニットについては、早急に画像の位置ずれを調整する必要がなく、当該画像形成ユニットに係る調整画像については、形成する必要性がない。そのため、本実施の形態では、制御部１０１は、複数の画像形成ユニット４１のうち、中間転写ベルト４２１と圧着されている画像形成ユニットに係る調整画像の組み合わせを調整画像の形成パターンとする。
【００７６】
例えば、特色トナーを用いたモノクロ画像を印刷する場合、制御部１０１は、第２圧着部２１１Ｂおよび第３圧着部２１１Ｃを圧着状態とし、Ｋ色の調整画像と、Ｔ色の調整画像との組み合わせのみを、調整画像の形成パターンとする。
【００７７】
こうすることで、必要な調整画像のみを形成するので、画像形成ユニット４１におけるトナー消費量を削減することができる。また、レジスト補正を行う際のダウンタイムの発生頻度を削減することができる。また、レジスト補正時のサンプリングデータの増大に起因する記憶データ量の増加を抑制することができる。
【００７８】
また、制御部１０１は、中間転写ベルト４２１と同時に圧着可能な２以上の画像形成ユニット４１に基づく画像を形成する場合、２以上の画像形成ユニット４１のうちの少なくとも１つに係る調整画像と、２以上の画像形成ユニット４１以外の画像形成ユニットに係る調整画像との組み合わせを、調整画像の形成パターンに含ませるようにしても良い。
【００７９】
例えば、カラー画像を印刷する場合、少なくとも第１圧着部２１１Ａおよび第２圧着部２１１Ｂを圧着状態とするが、第１圧着部２１１Ａは、３つの画像形成ユニット４１を同時に中間転写ベルトに圧着させるので、第１圧着部２１１Ａに対応する画像形成ユニット４１においては、相対的に画像の位置ずれが発生していないものと考えられる。
【００８０】
そのため、この場合、制御部１０１は、Ｙ色、Ｍ色、Ｃ色の何れか１つの画像形成ユニットに係る調整画像と、Ｋ色の画像形成ユニットに係る調整画像との組み合わせを調整画像の形成パターンとする。
【００８１】
こうすることで、画像の位置ずれの精度を保ちにくい部分のみを調整するので、画像の位置ずれ精度を保ちつつ、トナーの消費量を削減することができる。
【００８２】
また、Ｙ色、Ｍ色、Ｃ色のうち、Ｋ色の画像形成ユニットと最も遠い位置に位置する画像形成ユニットを、形成パターンに係る調整画像に選択することが好ましい。
【００８３】
Ｋ色の画像形成ユニットと最も遠い位置に位置する画像形成ユニットに係る画像と、Ｋ色の画像形成ユニットに係る画像とは、位置ずれが、より近い位置に位置する画像形成ユニットに係る画像と比較して、位置のずれ量が大きくなりやすいためである。
【００８４】
なお、画像形成ユニットの使用頻度および圧着機構２１０の圧着状態に応じて調整画像の形成パターンを変更しても良い。
【００８５】
また、制御部１０１は、調整画像を形成して各画像形成ユニット４１に係る画像の位置のずれ量を検出した場合、当該ずれ量を圧着状態毎に記憶部に記憶する。例えば、制御部１０１は、所定の圧着状態で印刷終了後、当該圧着状態におけるずれ量を補正量として記憶部に記憶する。
【００８６】
例えば、図４に示すように、記憶部には、２つの画像形成ユニットの組み合わせと、その２つの画像形成ユニットにおける画像の位置ずれ量（補正量）とを対応させたテーブルが圧着状態毎に記憶されている。制御部１０１は、印刷ジョブが実行される度に、当該印刷ジョブで用いられた圧着状態に係る補正量を更新する。
【００８７】
図４における第１圧着状態は、第１圧着部２１１Ａ、第２圧着部２１１Ｂおよび第３圧着部２１１Ｃの全てが圧着状態とされた状態である。図４における第２圧着状態は、第１圧着部２１１Ａおよび第２圧着部２１１Ｂが圧着状態とされた状態である。図４における第３圧着状態は、第２圧着部２１１Ｂおよび第３圧着部２１１Ｃが圧着状態とされた状態である。
【００８８】
第１圧着状態におけるＡ１と、第２圧着状態におけるＡ２は、Ｋ色の画像形成ユニット４１の画像と、Ｙ色の画像形成ユニット４１の画像との補正量（ずれ量）である。第１圧着状態におけるＢ１と、第２圧着状態におけるＢ２は、Ｋ色の画像形成ユニット４１の画像と、Ｍ色の画像形成ユニット４１の画像との補正量（ずれ量）である。
【００８９】
第１圧着状態におけるＣ１と、第２圧着状態におけるＣ２は、Ｋ色の画像形成ユニット４１の画像と、Ｃ色の画像形成ユニット４１の画像との補正量（ずれ量）である。第１圧着状態におけるＤ１と、第３圧着状態におけるＤ２は、Ｋ色の画像形成ユニット４１の画像と、Ｔ色の画像形成ユニット４１の画像との補正量（ずれ量）である。
【００９０】
なお、記憶部には、元々、補正量の初期値が圧着状態毎に記憶されており、これらの補正量を元に印刷ジョブが実行され、その都度、補正量が更新されていくこととなる。補正量の初期値は、例えば、工程出荷時や市場設置時等において圧着状態の全パターンにおいて調整画像を形成した際、各画像形成ユニット間の画像の位置のずれ量（補正量）である。
【００９１】
制御部１０１は、印刷ジョブにおける圧着機構２１０の圧着状態に基づいて、上記のテーブルを参照して、画像の位置のずれ量を取得し、当該ずれ量に基づいて画像の位置を補正するように画像形成部４０を制御する。つまり、制御部１０１は、圧着機構２１０における圧着状態に基づいて、当該ずれ量に係る補正量を変更する。制御部１０１は、本発明の「補正部」に対応する。
【００９２】
このように、印刷終了後に、圧着状態におけるずれ量を補正量として記憶しておくことで、画像形成ユニット４１（感光体ドラム４１３）と、中間転写ベルト４２１との圧着状態における、最新の補正量を印刷ジョブにおいて適用することができる。これにより、圧着状態の変動に伴う、各部品の劣化状態を考慮した補正量を印刷ジョブに適用することができるので、位置ずれ精度を向上させることができる。
【００９３】
なお、上記第２の実施の形態では、画像形成ユニットと中間転写ベルトとの圧着状態に応じて補正量を変更していたが、画像形成ユニットの周囲の温度情報に応じて補正量を変更しても良い。温度情報は、例えば、画像形成ユニットの周囲に設けられた、公知の温度センサー等により取得された温度の情報である。
【００９４】
制御部１０１は、調整画像を形成して各画像形成ユニット４１に係る画像間の位置のずれ量を取得し、かつ、そのときの温度情報を取得する。そして、例えば図５に示すように、制御部１０１は、記憶部に、取得したずれ量と、温度情報とを関連付けて記憶する。こうすることで、記憶部には、過去に記憶した温度毎の、２つの画像形成ユニット間の補正量が記憶されていく。
【００９５】
図５における温度Ｔ１におけるＡ３と、温度Ｔ２におけるＡ４は、Ｋ色の画像形成ユニット４１の画像と、Ｙ色の画像形成ユニット４１の画像との補正量（ずれ量）である。温度Ｔ１におけるＢ３と、温度Ｔ２におけるＢ４は、Ｋ色の画像形成ユニット４１の画像と、Ｍ色の画像形成ユニット４１の画像との補正量（ずれ量）である。
【００９６】
温度Ｔ１におけるＣ３と、温度Ｔ２におけるＣ４は、Ｋ色の画像形成ユニット４１の画像と、Ｃ色の画像形成ユニット４１の画像との補正量（ずれ量）である。温度Ｔ１におけるＤ３と、温度Ｔ２におけるＤ４は、Ｋ色の画像形成ユニット４１の画像と、Ｔ色の画像形成ユニット４１の画像との補正量（ずれ量）である。
【００９７】
制御部１０１は、画像形成ユニットに係る温度情報に応じてずれ量に係る補正量を変更する。具体的には、制御部１０１は、記憶部を参照して、上記の温度情報と同じ温度における補正量を取得して、当該補正量に基づいて画像の位置を補正するように画像形成部４０を制御する。
【００９８】
そして、制御部１０１は、印刷ジョブを受け付けて画像形成をする際の温度情報が記憶部に記憶されている温度に対応する補正量が存在しない場合、過去に補正量とともに記憶した温度のうち、当該温度情報に近い２つの温度に係る補正量を用いて、当該温度情報に係る補正量を算出する。つまり、制御部１０１は、記憶部に記憶される、過去に調整した少なくとも２回分のずれ量を用いて、画像の位置を補正する。
【００９９】
例えば、記憶部に温度Ｔ１に係る補正量と、温度Ｔ２に係る補正量とが記憶されていたとする。このとき、画像形成ユニット４１における温度が、Ｔ１とＴ２との間のＴ３である場合、制御部１０１は、温度と補正量との２つのパラメーターを用いて、例えば線形補間法等により、温度Ｔ３に係る補正量を算出する。
【０１００】
こうすることで、温度に応じた補正量により、画像形成を行うことができるので、位置ずれの補正精度を向上させることができる。
【０１０１】
また、圧着状態および温度情報の両方に基づいて画像の位置を補正しても良い。また、過去に調整した２回分のずれ量を用いた画像の位置の補正方法については、同一条件（例えば、圧着状態が同一である条件や温度条件が同一である条件等）の場合、例えば２回分のずれ量の平均値を算出して補正量としても良い。
【０１０２】
また、制御部１０１は、画像形成装置１における印刷終了時における印刷条件（圧着状態の条件等）および環境条件（温度の条件等）の少なくとも１つが、当該印刷の１つ前の前回印刷終了時と変化がない場合、前記印刷終了時の前記ずれ量を記憶しないようにしても良い。
【０１０３】
印刷を行う場合、前回印刷終了時に取得された補正量を用いており、部品の寿命も大きな差がないことから、今回の印刷終了時において、改めて補正量を取得する必要がないと考えられる。
【０１０４】
そのため、このような場合、ずれ量を取得するための制御を行わないことで、調整画像に用いられるトナーを消費しなくて済むので、トナーの消費量を削減することができる。
【０１０５】
また、上記実施の形態では、制御部１０１が自動で画像形成ユニット４１の装着状況を識別していたが、本発明はこれに限定されない。例えば、ユーザーが操作表示部２０等を操作して選択した画像形成ユニット４１に基づいて、制御部１０１が画像形成ユニット４１の装着状況を認識しても良い。
【０１０６】
このようにすることで、例えばユーザーが特定の色に係るトナーの消費を抑えたい画像形成ユニット４１を選択できるので、ユーザーの都合を考慮した、レジスト補正を行うことができる。
【０１０７】
また、上記第２の実施の形態では、Ｙ、Ｍ、Ｃ色に係る画像形成ユニット４１が同時に中間転写ベルト４２１に圧着される構成であったが、本発明はこれに限定されず、Ｙ、Ｍ、Ｃ色に係る画像形成ユニット４１が別々に中間転写ベルト４２１に圧着される構成であっても良い。
【０１０８】
また、上記各実施の形態では、特色（Ｔ色）トナーに係る画像形成ユニットが１つのみ設けられた構成であったが、本発明はこれに限定されず、２以上の特色トナーに係る画像形成ユニットが設けられた構成であっても良い。
【０１０９】
また、上記各実施の形態では、基準画像形成ユニットをＫ色の画像形成ユニットとしていたが、本発明はこれに限定されず、Ｋ色以外の色に係る画像形成ユニットを基準画像形成ユニットとしても良い。
【０１１０】
また、調整画像を形成する（記憶部にずれ量を記憶する）タイミングは、印刷終了後の他、画像形成装置１の電源オン時（一日の使用開始時等）、周囲の温度が所定温度以上変化した時等、適宜なタイミングであれば良い。
【０１１１】
また、上記各実施の形態では、制御部および変更部が制御部１０１に含まれる構成であったが、本発明はこれに限定されず、制御部と変更部とが別々に構成されていても良い。また、上記第２の実施の形態では、補正部が制御部１０１に含まれる構成であったが、本発明はこれに限定されず、補正部が制御部１０１とは別に構成されていても良い。
【０１１２】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【０１１３】
１  画像形成装置
４０  画像形成部
４１  画像形成ユニット
４２  中間転写ユニット
１０１  制御部
２００  画像検出部
２１０  圧着機構
２１１Ａ  第１圧着部
２１１Ｂ  第２圧着部
２１１Ｃ  第３圧着部
４１３  感光体ドラム
４２１  中間転写ベルト 
【図１】
2022001891.tif 000003
【図２】
2022001891.tif 000004
【図３】
2022001891.tif 000005
【図４】
2022001891.tif 000006
【図５】
2022001891.tif 000007